(57)【要約】【課題】左前立て部と右前立て部との重なり幅を大きくしても身頃と袖とを接合する際に糸切れが生じ難いニットウェアの編成方法を提供する。【解決手段】脇１０の位置で身頃２と左袖３及び右袖４とを接合するニットウェアの編成方法であって、以下の工程を備える。第二編地部２２の左端の編目５の回し込みを複数回行った後、第一針床ＦＢで回し込んだ編目５と左袖３の編目とを接合する工程ｂ１。第二編地部２２の編幅方向の右端の編目６の回し込みを複数回行った後、第一針床ＦＢで回し込んだ編目６と右袖４の編目とを接合する工程ｂ２。第一針床ＦＢと第二針床ＢＢのそれぞれで、身頃２と左袖３の近接する編目同士を接合する工程ｂ３。第一針床ＦＢと第二針床ＢＢのそれぞれで、身頃２と右袖４の近接する編目同士を接合する工程ｂ４。【選択図】図２
2019094594.tif 000002
【特許請求の範囲】
【請求項１】
対向する第一針床と第二針床とを備える横編機を用いて、
開き部を有する身頃に接続された左袖及び右袖を備え、前記身頃は、前記開き部を閉じたときに重ねられる左前立て部と右前立て部とを有するニットウェアを編成するにあたり、
前記ニットウェアの脇の位置まで、前記第一針床上で前記左前立て部と前記右前立て部の端部同士が突き合わされた状態で、前記第一針床と前記第二針床を用いて前記身頃をＣ字状に編成すると共に、前記第一針床と前記第二針床を用いて前記身頃と独立して前記左袖及び前記右袖を筒状に編成する工程Ａと、
前記脇の位置で前記身頃と前記左袖及び前記右袖とを接合する工程Ｂと、
前記ニットウェアにおける前記脇よりも上の部分をＣ字状に編成する工程Ｃと、を行なうニットウェアの編成方法において、
前記身頃のうち、前記工程Ｂの開始前に前記第一針床に係止される部分を第一編地部、前記第二針床に係止される部分を第二編地部としたとき、
前記工程Ｂは、
前記第二編地部の編幅方向の左端の編目を前記第一編地部の編幅方向の外側に回し込むことを複数回繰り返した後、前記第一針床で、前記回し込まれた複数の編目のうち、編幅方向の最も外側にある編目から順次、前記左袖の編目と接合する工程ｂ１と、
前記第二編地部の編幅方向の右端の編目を前記第一編地部の編幅方向の外側に回し込むことを複数回繰り返した後、前記第一針床で、前記回し込まれた複数の編目のうち、編幅方向の最も外側にある編目から順次、前記右袖の編目と接合する工程ｂ２と、
前記第一針床と前記第二針床のそれぞれで、前記身頃と前記左袖の近接する編目同士を接合する工程ｂ３と、
前記第一針床と前記第二針床のそれぞれで、前記身頃と前記右袖の近接する編目同士を接合する工程ｂ４と、を備えるニットウェアの編成方法。
【請求項２】
前記左袖を回転させることなく、前記工程ｂ１及び前記工程ｂ３を行い、
前記右袖を回転させることなく、前記工程ｂ２及び前記工程ｂ４を行う請求項１に記載のニットウェアの編成方法。
【請求項３】
前記工程Ｃにおいて、前記身頃の編幅を徐々に減らし、前記開き部の間隔を広げる請求項１または請求項２に記載のニットウェアの編成方法。
【発明の詳細な説明】
【技術分野】
【０００１】
本発明は、横編機を用いて開き部を有するニットウェアを編成するためのニットウェアの編成方法に関する。
【背景技術】
【０００２】
横編機を用いて開き部を有するニットウェアを編成することが従来から行われている。例えば特許文献１には、身頃に開き部を有するカーディガンの編成方法が開示されている。特許文献１では、開き部を挟む左前立て部と右前立て部の編幅端部を突き合わせた状態で身頃を編成すると共に、身頃の左右に身頃と独立した左袖と右袖を編成し、カーディガンの脇の位置で身頃と両袖とを接合している。
【０００３】
ニットウェアでは、特許文献１の図１に示すように、身頃のほぼ真横の位置に袖を付けるか、特許文献１の図３に示すように、身頃の前寄りの位置に袖を付ける。特許文献１のニットウェアの編成方法では、特許文献１の図２，４に示すように、身頃の左前立て部と右前立て部の編幅端部同士を突き合わせた状態で編成しており、身頃に袖を接合する際、前後の針床上で身頃と袖とを回転させ、身頃の所定位置に袖を接合させている。
【先行技術文献】
【特許文献】
【０００４】
【特許文献１】特許第４８５６６３５号公報
【発明の概要】
【発明が解決しようとする課題】
【０００５】
特許文献１の編成方法では、身頃の左前立て部と右前立て部の編幅端部同士を突き合わせた状態のまま身頃と袖を接合している。そのため、特許文献１の図２，４に示すように、身頃を時計回りに回転させてから身頃と左袖とを接合した後、身頃と左袖の一体筒を反時計回りに回転させてから身頃と右袖とを接合する必要がある。この場合、特許文献１の図２，４の工程５に示されるように、上記一体筒を反時計回りに回転させたとき、身頃と左袖との接合部（図中のＹ−Ｚの部分）が編幅方向の左右に強く引っ張られる。ここで、身頃の左前立て部と右前立て部との重なり幅を大きくすると上記一体筒の回転量を多くする必要があるため、身頃と左袖との接合部で糸切れが生じ易くなる。
【０００６】
上記事情に鑑み、本願発明の目的の一つは、左前立て部と右前立て部との重なり幅を大きくしても身頃と袖とを接合する際に糸切れが生じ難いニットウェアの編成方法を提供することにある。
【課題を解決するための手段】
【０００７】
本発明のニットウェアの編成方法は、
対向する第一針床と第二針床とを備える横編機を用いて、
開き部を有する身頃に接続された左袖及び右袖を備え、前記身頃は、前記開き部を閉じたときに重ねられる左前立て部と右前立て部とを有するニットウェアを編成するにあたり、
前記ニットウェアの脇の位置まで、前記第一針床上で前記左前立て部と前記右前立て部の端部同士が突き合わされた状態で、前記第一針床と前記第二針床を用いて前記身頃をＣ字状に編成すると共に、前記第一針床と前記第二針床を用いて前記身頃と独立して前記左袖及び前記右袖を筒状に編成する工程Ａと、
前記脇の位置で前記身頃と前記左袖及び前記右袖とを接合する工程Ｂと、
前記ニットウェアにおける前記脇よりも上の部分をＣ字状に編成する工程Ｃと、を行なうニットウェアの編成方法において、
前記身頃のうち、前記工程Ｂの開始前に前記第一針床に係止される部分を第一編地部、前記第二針床に係止される部分を第二編地部としたとき、
前記工程Ｂは、
前記第二編地部の編幅方向の左端の編目を前記第一編地部の編幅方向の外側に回し込むことを複数回繰り返した後、前記第一針床で、前記回し込まれた複数の編目のうち、編幅方向の最も外側にある編目から順次、前記左袖の編目と接合する工程ｂ１と、
前記第二編地部の編幅方向の右端の編目を前記第一編地部の編幅方向の外側に回し込むことを複数回繰り返した後、前記第一針床で、前記回し込まれた複数の編目のうち、編幅方向の最も外側にある編目から順次、前記右袖の編目と接合する工程ｂ２と、
前記第一針床と前記第二針床のそれぞれで、前記身頃と前記左袖の近接する編目同士を接合する工程ｂ３と、
前記第一針床と前記第二針床のそれぞれで、前記身頃と前記右袖の近接する編目同士を接合する工程ｂ４と、を備える。
【０００８】
ここで、工程ｂ１と工程ｂ２はどちらを先に行なっても良い。また、工程ｂ３は工程ｂ１の後であればいつ行なってもかまわないし、工程ｂ４は、工程ｂ２の後であればいつ行なってもかまわない。工程ｂ１〜ｂ４の順番としては、例えば、工程ｂ１→工程ｂ２→工程ｂ３→工程ｂ４の順、工程ｂ２→工程ｂ１→工程ｂ４→工程ｂ３の順、工程ｂ１→工程ｂ３→工程ｂ２→工程ｂ４の順などが挙げられる。
【０００９】
本発明のニットウェアの編成方法の一形態として、
前記左袖を回転させることなく、前記工程ｂ１及び前記工程ｂ３を行い、
前記右袖を回転させることなく、前記工程ｂ２及び前記工程ｂ４を行う形態を挙げることができる。
【００１０】
本発明のニットウェアの編成方法の一形態として、
前記工程Ｃにおいて、前記身頃の編幅を徐々に減らし、前記開き部の間隔を広げる形態を挙げることができる。
【発明の効果】
【００１１】
本発明のニットウェアの編成方法によれば、左前立て部と右前立て部との重なり幅を大きくしても、身頃と袖とを接合する際に糸切れが生じ難い。特許文献１を含む従来の編成方法では、身頃に開口部があるにも関わらず、左前立て部と右前立て部の端部同士を突き合わせた状態で身頃と袖とを編成で接合している。つまり、従来の編成方法では、開口部を有さない身頃と同様に身頃と袖とを編成で接合していた。そのため、身頃と一方の袖との接合後に身頃と他方の袖とを接合する際、身頃と一方の袖との接合箇所が強く引っ張られる。これに対して、本発明のニットウェアの編成方法では、工程ｂ１と工程ｂ２のそれぞれにおいて、左前立て部と右前立て部とが編幅方向に重なることを許容し、従来技術で生じていた接合箇所の引っ張りを無くすことで、第一針床と第二針床とを相対的にラッキングさせても身頃と袖とを無理なく接合できる。また、身頃と左袖（右袖）との接合を、工程ｂ１（ｂ２）と工程ｂ３（ｂ４）の二段階に分割して、各工程における編糸の負担を減らすことで、両前立て部の重なり幅を大きくしても、糸切れを生じ難くできる。
【００１２】
また、本発明のニットウェアの編成方法によれば、工程ｂ１，ｂ２における端部編目の回し込み数を多くすることで、身頃の前寄りの位置に袖を付けたニットウェアを編成することができる。つまり、本発明のニットウェアの編成方法では、端部編目の回し込み数を変化させるだけで、身頃のほぼ真横の位置に袖を付けたニットウェアと、身頃の前寄りの位置に袖を付けたニットウェアと、を編み分けることができる。これに対して、特許文献１では、身頃のほぼ真横の位置に袖を付けたニットウェアと、身頃の前寄りの位置に袖を付けたニットウェアと、で袖の前後の境界位置の設定を変更しなければならず、その変更作業が煩雑である（特許文献１の図２，４に示される境界部Ｘ，Ｙを参照）。
【００１３】
工程ｂ１〜ｂ４を通じて袖を回転させない本発明のニットウェアの編成方法によれば、袖を回転させるための目移しやラッキング、捻り目の形成が不要となるので、ニットウェアの生産性を向上させることができる。袖を回転させずに袖と身頃とを接合できるのは、工程ｂ１（ｂ２）において、身頃と袖との接合箇所である他側編地部の編目を一側編地部の側に回し込んでから、その回し込んだ編目を袖側に動かして身頃と左袖（右袖）とを接合するからである。また、工程ｂ３，ｂ４において、第一針床と第二針床のそれぞれで身頃と袖との接合を行なうことで、第一針床に係止される編目数と第二針床に係止される編目数との間に大きな差ができない。そのため、工程ｂ３，ｂ４においても袖を回転させる必要がない。
【００１４】
身頃と袖との接合にあたって袖を回転させない本発明のニットウェアの編成方法によれば、袖に組織柄を形成し易い。袖の外方側の端部編目を回し込むことがないため、袖に形成した組織柄が乱れることがないからである。ここで、工程ｂ１，ｂ２において身頃の第二編地部の端部編目（左側の編目及び右側の編目）を回し込みしているが、その端部編目は袖と接合されてニットウェアの脇に隠れて目立たないため、身頃の組織柄が乱れるという問題は生じない。
【００１５】
工程Ｃで開き部の間隔を広げる本発明のニットウェアの編成方法によれば、脇よりも上方の位置に前下がりの下端が配置されたニットウェア、例えばスクエアネックやラウンドネックのニットウェアを編成できる。
【図面の簡単な説明】
【００１６】
【図１】実施形態１に係るニットウェアの概略図である。
【図２】実施形態１に係るニットウェアの編成工程のイメージ図である。
【発明を実施するための形態】
【００１７】
以下、本発明の編地の編成方法の実施形態を図面に基づいて説明する。
【００１８】
＜実施形態１＞
実施形態１では、横編機を用いてカーディガン（ニットウェア）を編成する例を説明する。本例で使用する横編機は、２枚ベッド横編機であるが、４枚ベッド横編機でも良い。さらに、横編機に備わる編針は、べら針でも良いし、複合針でも良い。複合針としては、スライダーの先端に形成されるタングに編目を一時的に保持できるホールディング機能を持った複合針が好適である。
【００１９】
≪ニットウェア≫
図１に示すカーディガン（ニットウェア）１は、身頃２と、その身頃２に接続された左袖３及び右袖４と、を備える。本例の身頃２は、後身頃２Ｂと、左前身頃２ＦＬと、右前身頃２ＦＲと、で構成されている。後身頃２Ｂの左端（紙面上は右端）と左前身頃２ＦＬの左端とは繋がっており、後身頃２Ｂの右端（紙面上は左端）と右前身頃２ＦＲの右端とは繋がっている。一方、左前身頃２ＦＬの右端と右前身頃２ＦＲの左端とは繋がっておらず、左前身頃２ＦＬと右前身頃２ＦＲとの間には開き部２０が形成されている。左前身頃２ＦＬの右端には左前立て部２３が形成され、右前身頃２ＦＲの左端には右前立て部２４が形成されている。左前立て部２３と右前立て部２４とは、カーディガン１の着用時に重ねられた状態で使用される。前立て部２３，２４にはボタンとボタンホールなどが必要となるので、袋組織やリブ組織などを用いて他の部分よりも丈夫に形成することが好ましい。
【００２０】
≪編成方法≫
図１のカーディガン１を編成するにはまず、カーディガン１の脇１０の位置まで身頃２をＣ字状に編成すると共に、左袖３と右袖４とを筒状に編成する（工程Ａに相当）。次いで、脇１０の位置で身頃２と、左袖３及び右袖４と、を接合する（工程Ｂに相当）。そして、カーディガン１における脇１０よりも上の部分をＣ字状に編成する（工程Ｃに相当）。これら工程Ａ〜工程Ｃにより、カーディガン１は裾からネックホールに向かって編成される。つまり、図１においては、紙面左右方向が編幅方向、紙面上下方向がウエール方向となる。
【００２１】
カーディガン１の編成方法の各工程を、図２の編成工程図に基づいて詳細に説明する。図２の左側にあるＳ＋数字は編成工程の番号を、ＦＢは前針床（第一針床）を、ＢＢは後針床（第二針床）を示す。カーディガン１に備わる身頃２、袖３，４の前側編地部は中太線で、後側編地部は太線で示し、カーディガン１の着用時の前後の境界は短い棒線で示している。
【００２２】
Ｓ１には、脇１０（図１）の位置まで編成された身頃２と袖３，４とがＦＢとＢＢに係止された状態（本発明の工程Ａが終了した状態）が示されている。身頃２のうち、Ｓ１の時点でＦＢの係止される部分を第一編地部２１、ＢＢに係止される部分を第二編地部２２とする。この身頃２と袖３，４とは独立して編成されており、身頃２はＦＢとＢＢとを用いてＣ字状に、袖３，４はＦＢとＢＢとを用いて筒状に編成されている。身頃２は、ＦＢ上で左前立て部２３と右前立て部２４の端部同士が突き合わされた状態で編成されているため、身頃２の前後の境界はＢＢ側に配置されている。図１に示すように、両前立て部２３，２４は重ねられた状態で使用されるので、編成時の前後の境界は、図１の二点鎖線で示すように前身頃２ＦＬ，２ＦＲ側に位置する。
【００２３】
Ｓ１に示すように、ＦＢ上で左前立て部２３と右前立て部２４の端部同士を突き合わせた状態で編成することで、前立て部２３，２４の編目を粗くすることなく、前立て部２３，２４を編成できる。
【００２４】
Ｓ２では、右袖４のうちのＦＢに係止される前側部分と、身頃２の右前身頃２ＦＲ（図１参照）のうちのＦＢに係止される部分をＢＢに移動させると共に、左袖３のうちのＢＢに係止される後側部分をＦＢに移動させる。更にＳ２では、身頃２の第二編地部２２の編幅方向の左端の編目を、第一編地部２１の編幅方向の外側に回し込むことを繰り返す（工程ｂ１の前半部分に相当）。このとき、身頃２の右端部分（紙面上左側）では回し込みを行なっていないため、左前立て部２３と右前立て部２４とはＦＢとＢＢとに分かれて重複され、身頃２の筒径が小さくなる。以降、ＦＢに回し込まれた複数の編目は左側接合編目５と呼ぶ。本例では、回し込みの繰り返し数、即ちＢＢからＦＢに回し込まれた左側接合編目５の数を、左前立て部２３の編幅方向の編目数の半分としている。この場合、身頃２のほぼ真横の位置に袖３を取り付けることができる。
【００２５】
ここで、ＢＢからＦＢに回し込まれた左側接合編目５の数を変化させることで、身頃２に対する袖３，４の取り付け位置を変化させることができる。
【００２６】
上述したように、両前立て部２３，２４は編幅方向に重複した状態になっている。本例のように２枚ベッド横編機でカーディガン１を編成する場合、隣接する編目の間に空針を設ける針抜き編成によってカーディガン１を編成することで、ＦＢとＢＢとに分かれて両前立て部２３，２４を重複させられる。４枚ベッド横編機でカーディガン１を編成する場合、いずれかの前立て部２３（２４）を一旦、上部針床に預けておけば良い。この場合、隣接する編目の間に空針を設けない総針編成でカーディガン１を編成できる。
【００２７】
Ｓ３では、ＦＢ上で、編幅方向の最も外側にある左側接合編目５から順次、左袖３の編目と接合する（工程ｂ１の後半部分に相当）。本例では左袖３を回転させることなく、身頃２と左袖３との接合を行なっている。具体的には、両前立て部２３，２４の重複を解消するように身頃２のうちのＦＢに係止される部分を左袖３側に移動させ、ＦＢに回し込んだ複数の左側接合編目５のうち、左袖３に近接する左側接合編目５から順に左袖３の編目（図中の三角印）に接続する。
【００２８】
Ｓ４では、Ｓ２でＢＢに預けておいた身頃２の右前身頃２ＦＲ（図１参照）をＦＢに移動させると共に、ＦＢに係止される左前身頃２ＦＬ（図１参照）と左袖３の前側部分をＢＢに移動させる。更にＳ４では、第二編地部２２の編幅方向の右端の編目を、第一編地部２１の編幅方向の外側に回し込むことを繰り返す（工程ｂ２の前半部分に相当）。このとき、身頃２と左袖３の一体筒の左端部分では回し込みを行なっていないため、左前立て部２３と右前立て部２４とはＦＢとＢＢとに分かれて重複され、身頃２の筒径が小さくなる。以降、ＦＢに回し込まれた複数の編目は右側接合編目６と呼ぶ。Ｓ４でも、身頃２のほぼ真横の位置に袖４を取り付けるために、回し込みの繰り返し数を、右前立て部２４の編幅方向の編目数の半分としている。
【００２９】
Ｓ５では、ＦＢ上で、編幅方向の最も外側にある右側接合編目６から順次、右袖４の編目と接合する（工程ｂ２の後半部分に相当）。本例では右袖４を回転させることなく、身頃２と右袖４との接合を行なっている。具体的には、両前立て部２３，２４の重複を解消するように身頃２のうちのＦＢに係止される部分を右袖４側に移動させ、ＦＢに回し込んだ複数の右側接合編目６のうち、右袖４に近接する右側接合編目６から順に右袖４の編目（図中のバツ印）に接続する。
【００３０】
Ｓ６では、ＦＢにおける最も近接する身頃２と左袖３の編目同士を接合すると共に、ＢＢにおける最も近接する身頃２と左袖３の編目同士を接合する（工程ｂ３に相当）。また、Ｓ７では、ＦＢにおける最も近接する身頃２と右袖４の編目同士を接合すると共に、ＢＢにおける最も近接する身頃２と右袖４の編目同士を接合する（工程ｂ４に相当）。
【００３１】
Ｓ６，Ｓ７では、ＦＢに係止される編目数とＢＢに係止される編目数との間に大きな差が生じないように、ＦＢでの接合数とＢＢでの接合数とを同数としている。そのため、身頃２と袖３，４との接合時に袖３，４を回転させる必要がない。もちろん、編糸が切れない範囲で、ＦＢとＢＢとで接合数に差があってもかまわない。身頃２と袖３，４との接合数は、袖３，４の襠をどの程度とするかによって適宜選択できる。例えば、Ｌサイズのカーディガン１であれば、Ｍサイズのカーディガン１よりも上記接合数は多くなる。
【００３２】
Ｓ８では、カーディガン１における脇１０よりも上の部分をＣ字状に編成する（工程Ｃに相当）。本例では、減らし編成により身頃２の編幅を徐々に減らし、開き部２０の間隔を徐々に広げている。そうすることで、図１に示すように、脇１０よりも上方の位置にネックホールの下端が位置するカーディガン１を編成できる。図１のカーディガン１よりも前下りの小さいラウンドネックやスクエアネックのカーディガンを編成することもできる。
【００３３】
以上説明した実施形態のニットウェアの編成方法では、左前立て部２３と右前立て部２４との重なり幅を大きくしても、身頃２と袖３、４とを接合する際に糸切れが生じ難い。それは、工程ｂ１（Ｓ２，Ｓ３）と工程ｂ２（Ｓ４，Ｓ５）のそれぞれにおいて、左前立て部２３と右前立て部２４とが編幅方向に重なることを許容し、一方の袖３（４）と身頃２とを接合する操作が、他方の袖４（３）と身頃２とを接合する操作に影響を及ぼさなくなるからである。例えば、Ｓ２，Ｓ３で身頃２と左袖３とを接合する際、身頃２の右袖４側の部分では全く編目の移動や編成は行なわれていない。また、Ｓ４，Ｓ５で身頃２と右袖４とを接合する際も、身頃２と左袖３との接合箇所は編幅方向に全く動いていない。そのため、身頃２と左袖３との接合部が編幅方向に強く引っ張られることがなく、編成時の糸切れが生じ難い。また、身頃２と左袖３（右袖４）との接合を、工程ｂ１（ｂ２）と工程ｂ３（ｂ４）の二段階に分割して、各工程における編糸の負担を減らすことで、両前立て部２３，２４の重なり幅を大きくしても、糸切れを生じ難くできる。
【００３４】
また、本実施形態のニットウェアの編成方法では、カーディガン１の編成開始から編成終了までの間、袖３，４を回転させることなくカーディガン１を編成している。そのため、袖３，４を回転させるためのラッキングや目移しを行なう必要がないため、カーディガン１を生産性良く編成できる。また、カーディガン１の編成にあたり袖３，４を回転させる必要がないため、袖３，４に組織柄を編成し易い。
【００３５】
≪その他≫
工程ｂ１に相当するＳ２，Ｓ３と、工程ｂ２に相当するＳ４，Ｓ５とはどちらを先に行なってもかまわない。また、Ｓ６とＳ７とはどちらを先に行なってもかまわない。Ｓ６はＳ２，Ｓ３の直後、Ｓ７はＳ４，Ｓ５の直後に行なってもかまわない。例えば、Ｓ２→Ｓ３→Ｓ６→Ｓ４→Ｓ５→Ｓ７の順に行なうことが挙げられる。
【００３６】
本発明のニットウェアの編成方法で得られるニットウェアは、図１に示すカーディガン１に限定されるわけではない。例えばニットウェアは、ニットジャケットやワンピースなどであっても良い。また、着用者の背中側に前立てを備えるニットドレスなどの編成にも、本発明のニットウェアの編成方法を適用できる。また、実施形態では袖３，４を全く回し込まずに編成を行なっているが、袖３，４の回し込みを行なってもかまわない。袖３，４を回し込んだ分だけ、身頃２の回し込みを減らすことができる。
【符号の説明】
【００３７】
ＦＢ  前針床（第一針床）  ＢＢ  後針床（第二針床）
１  カーディガン（ニットウェア）  １０  脇
２  身頃    ２Ｂ  後身頃  ２ＦＬ  左前身頃  ２ＦＲ  右前身頃
２０  開き部  ２１  第一編地部  ２２  第二編地部
２３  左前立て部  ２４  右前立て部
３  左袖
４  右袖
５  左側接合編目
６  右側接合編目
【図１】
2019094594.tif 000003
【図２】
2019094594.tif 000004